(57)【要約】  複数乃至単数のディスプレイ装置のバックライティング（背面照光）用光源装置。ディスプレイ装置のバックライティング（背面照光）用の光源装置において、多数の光源（１）と制御装置（４）を有しており、制御装置（４）は、個別光源又は光源群の光度を、再現すべき情報（Ｉ）に適合する。更に、そのようなディスプレイ装置が提供される。
2008541141.tif 000002
【特許請求の範囲】
【請求項１】
ディスプレイ装置のバックライティング（背面照光）用の光源装置において、多数の光源（１）と制御装置（４）を有しており、前記制御装置（４）は、個別光源又は光源群の光度を、再現すべき情報（Ｉ）に適合することを特徴とする光源装置。
【請求項２】
光源は、少なくとも１つのビーム放射半導体素子を有している請求項１記載の光源装置。
【請求項３】
各光源は、多数のビーム放射半導体素子を有している請求項２記載の光源装置。
【請求項４】
殊に多数のライトバルブを有するライトバルブ装置（２）を有する請求項１から３迄の何れか１記載の光源装置。
【請求項５】
光源は、複数のライトバルブを有する領域をバックライティング（背面照光）する請求項４記載の光源装置。
【請求項６】
制御装置は、各光源の光度を、電力給電のクロックサイクルによって制御する請求項１から５迄の何れか１記載の光源装置。
【請求項７】
制御装置は、各光源の光度を、当該光源の作動電流を変えることによって制御する請求項１から６迄の何れか１記載の光源装置。
【請求項８】
各光源は、行状及び列状に設けられている請求項１から７迄の何れか１記載の光源装置。
【請求項９】
制御装置は、各光源の光度を各行毎及び／又は列毎に制御する請求項８記載の光源装置。
【請求項１０】
各光源は、規則的な格子に応じて設けられている請求項１から９迄の何れか１記載の光源装置。
【請求項１１】
格子は、長方形、平行四辺形、六角形又は菱形の基本ユニットを有している請求項１０記載の光源装置。
【請求項１２】
各光源の、ビーム放射方向の後ろ側には、少なくとも１つのディフューザ（５３）設けられている請求項１から１１迄の何れか１記載の光源装置。
【請求項１３】
各光源の、ビーム放射方向の後ろ側には、少なくとも１つの均質化要素（５４）及び／又は光導波路が設けられている請求項１から１２迄の何れか１記載の光源装置。
【請求項１４】
各光源の、ビーム放射方向の後ろ側には、少なくとも１つのＢＥＦ（Ｂｒｉｇｈｔｎｅｓｓ  Ｅｎｈａｎｃｅｍｅｎｔ  Ｆｉｌｍ）輝度上昇フィルムが設けられている請求項１から１３迄の何れか１記載の光源装置。
【請求項１５】
各光源は、共通の１つの坦体、殊に、基板上に設けられている請求項１から１４迄の何れか１記載の光源装置。
【請求項１６】
制御装置は、ディスプレイ装置の種々異なる領域をバックライティング（背面照光）する各光源を同じ時間で種々異なる光度で作動するために装置構成されている請求項１から１５迄の何れか１記載の光源装置。
【請求項１７】
制御装置は、各光源の光度を、以下の各特性量の少なくとも１つに依存して制御するように装置構成されており、即ち、
１つの光源のバックライティング（背面照光）領域内のコントラスト値、
隣接する各光源のバックライティング（背面照光）領域のコントラスト値、
ディスプレイ装置によって再現すべき情報、周囲環境の輝度のコントラスト値の少なくとも１つに依存して制御するように装置構成されている請求項１から１６迄の何れか１記載の光源装置。
【請求項１８】
制御装置は、個別光源又は各光源群の光度を、殊に、フィルムの画像シーケンスの再現の場合に、前記画像シーケンスの１つの画像又は複数の画像の各コントラスト値に依存して変えるように装置構成されている請求項１から１７迄の何れか１記載の光源装置。
【請求項１９】
制御装置は、殊に、再現される情報のグラフィックな解像度を適合化するために、付加的に、ライトバルブ装置を制御する請求項１から１８迄の何れか１記載の光源装置。
【請求項２０】
制御装置は、直接バックライティング（背面照光）の場合に、隣接する各光源の放射の重畳を、個別光源の光度の適合化時に考慮する請求項１から１９迄の何れか１記載の光源装置。
【請求項２１】
請求項１から２０迄の何れか１記載の光源装置を有するディスプレイ装置。
【請求項２２】
ＬＣＤ又はＴＦＴスクリーンを有する請求項２１記載のディスプレイ装置。
【発明の詳細な説明】
【技術分野】
【０００１】
複数乃至単数のディスプレイ装置のバックライティング（背面照光）用光源装置。
【０００２】
本発明は、複数乃至単数のディスプレイ装置のバックライティング（背面照光）用光源装置に関する。
【０００３】
一層平坦なディスプレイ装置の需要が益々増大する領域内では、ＬＣＤ（液晶ディスプレイ：Ｌｉｑｕｉｄ  Ｃｒｙｓｔａｌ  Ｄｉｓｐｌａｙ）ディスプレイ装置乃至ＬＣＤスクリーン及びＴＦＴ（薄膜トランジスタ：Ｔｈｉｎ  Ｆｉｌｍ  Ｔｒａｎｓｉｓｔｏｒ）ディスプレイ装置乃至ＴＦＴスクリーンの需要が一層強く増大している。ＬＣＤ及びＴＦＴスクリーンは、プラズマスクリーンと同様に、従来技術の管装置に対して平坦な構造様式であるという利点を有している。ＬＣＤ及びＴＦＴスクリーンは、付加的に、プラズマスクリーンに対して比較的高い寿命と僅かな電力消費量を有している。
【０００４】
従来、ＬＣＤ及びＴＦＴスクリーンのバックライティング（背面照光）用に、たいてい、冷陰極蛍光ランプ（ＣＣＦＬ）が使用されてきた。最近、何れにせよ、そのようなスクリーンタイプのバックライトが、半導体光源によって益々技術的な意義を持つようになっている。例えば、刊行物米国特許第２００２／００７０９１４号明細書には、各発光ダイオードのフィールドを備えたＬＣＤディスプレイ用のバックライトが記載されている。
【０００５】
何れにせよ、ＬＣＤスクリーンとＴＦＴスクリーンとの比較的小さな、約３００：１のコントラスト比は、ｍ２につき５００カンデラの輝度の場合、広範に使用することはできない。それとは異なり、プラズマ装置では、ｍ２につき１０００カンデラもの非常に高い輝度で、３０００：１のコントラスト比が達成できる。従来の管装置では、比較して、寧ろ、１００００：１のコントラスト値が達成される。しかし、管装置は、平坦な構成形式で製造することはできない。
【０００６】
小さなコントラスト比は、ＬＣＤ又はＴＦＴスクリーンの場合、例えば、テレビジョン受信機では、夜間シーンがある画像シーケンスを表示する必要がある場合に、特に強く作用する。従来技術のＬＣＤ又はＴＦＴスクリーンの劣悪なコントラスト比のために、このシーンは、満足し得るような黒色を表示できず、乃至、ぼんやりした黒色でしか表示することができない。
【０００７】
ＬＣＤ及びＴＦＴスクリーンで、コントラスト比を大きくすることは、このスクリーンタイプで光を透過又は遮断するために使用されるライトバルブを改善することによって可能である。ライトバルブの改善は、ライトバルブの最大フィルタ減衰の向上を達成するという目的を有している。しかし、減衰を強くすることは、技術的な限界に突き当たる。ディスプレイ装置の強いバックライティング（背面照光）及び限界のあるフィルタ減衰の際、コントラストが制限され、それにより、黒色の個所がぼんやりしたグレートーンで表現されてしまう。
【０００８】
本発明の課題は、ディスプレイ装置のコントラスト比を改善する光源装置を製造することにある。更に、改善されたコントラスト比のディスプレイ装置を提供することにある。
【０００９】
この課題は、請求項１記載の各要件を有する光源装置によって解決され、即ち、多数の光源と制御装置を有しており、制御装置は、個別光源又は光源群の光度を、再現すべき情報に適合することによって解決され、及び、請求項２１記載の各要件を有するディスプレイ装置によって解決される。
【００１０】
有利な実施例については、従属請求項に記載されており、その開示内容については、詳細な説明で明瞭に説明する。
【００１１】
本発明のディスプレイ装置のバックライティング（背面照光）用の光源装置は、多数の光源と制御装置を有しており、制御装置は、個別光源又は光源群の光度を、再現すべき情報に適合する。光度は、ＳＩ単位で定義されており、光の強さ（Ｌｅｕｃｈｔｓｔａｅｒｋｅ）又は明るさ乃至輝度（Ｈｅｌｌｉｇｋｅｉｔ）とも呼ばれることがある。
【００１２】
コントラストの改善、つまり、最も明るい画点の明るさ乃至輝度と、最も暗い画点の明るさ乃至輝度との比を大きくすることは、コントラストの形成用のディスプレイ装置のライトバルブの作用を利用するのみならず、同様に、光源装置の相応の光源の光度も調整して行われる。ライトバルブは、光を透過又は遮断するように制御される素子である。ＬＣＤディスプレイでは、このバルブは、当該バルブの配向によって光を偏光することができる液晶を有している。ＴＦＴディスプレイでは、ライトバルブは、トランジスタを有している。
【００１３】
殊に、光源装置は、ＬＣＤ又はＴＦＴテレビジョン受信機で使用するとよい。と言うのは、テレビジョン受信機の解像度は、一般的に、ＬＣＤ又はＴＦＴ画像マトリックスの技術的に可能な解像度よりも小さいからである。光源がバックライティング（背面照光）される領域内では、比較的小さな範囲内でコントラストを変えさえすればよい。
【００１４】
有利には、光源として、ビームを放射する半導体構成素子、例えば、有機発光ダイオードを含む発光ダイオード（ＬＥＤ）、又は、レーザダイオードを使用することができる。択一的に、フラットに照光が可能で、個別又は群で光度を制御することができる別の光源を使用してもよい。
【００１５】
光源の有利な実施例では、半導体光源の光を相応の画像スクリーン領域に誘導するために１つ又は複数の光導波路を有している。
【００１６】
有利には、各光源の、放射方向の後ろ側には、光導波路が、光源から出力結合されたビームの大部分が光導波路内に達するように設けられている。
【００１７】
しかし、光導波路を用いずに、直接バックライティング（背面照光）してもよい。直接バックライティング（背面照光）の場合、各光源から出力結合されたビームは、有利には、１つ又は複数のビーム成形要素を用いて成形される。ビーム成形要素は、例えば、レンズ、コリメータ、及び／又は、ディフューザである。ビーム成形は、特に有利には、光源によってバックライティング（背面照光）される領域が拡大されるように行われる。その際、ビーム成形要素は、放射方向で各光源の後ろ側に設けられており、その際、１つの光源から出力結合された光の大部分が、ビーム成形要素を通過するように設けられている。
【００１８】
有利な実施例では、１つの光源は、ライト群から構成されている。ライト群は、１つ又は複数のビーム放射半導体構成素子を統合して１つの光源となるようにしたものであり、この光源は、有利な実施例では、それ自体、別個の構成素子として構成されている。そのようなライト群は、例えば、マルチチップ構造形式によって構成されており、その際、複数のビーム放射半導体チップが共通の１つのケーシング内に設けられている。
【００１９】
光源は、有利には、バックライトディスプレイ装置、例えば、ＬＣＤ又はＴＦＴディスプレイ装置の所定の領域を照光する。本発明の有利な実施例では、光源は、複数のライトバルブを含むディスプレイ装置の内部の領域をバックライティング（背面照光）するように設けられている。
【００２０】
これは、１つの光源が、ライトバルブ装置の所定の領域用のバックライティング（背面照光）をカバーするという利点を有している。それにより、比較的大きな面積の照光部をモジュール形式でライトタイルによって構成することができる。
【００２１】
個別領域用のバックライト装置は、ライトタイル（Ｌｉｃｈｔｋａｃｈｅｌ）と呼ばれる。一般的に、ライトタイルは、ディスプレイ装置の多数の画点（ピクセル）をバックライティング（背面照光）する。長方形のライトタイルの場合、１つのライトタイルは、ディスプレイ装置のｎ＊ｍピクセルの領域をバックライティング（背面照光）し、その際、正方形のライトタイルの特別な場合には、ｍは、ｎに等しい。そのような領域のピクセルの個数は、有利には、この領域内に含まれているライトバルブの個数に正比例する。
【００２２】
有利には、ライトタイルは、ディスプレイ装置の４０９６個のピクセル、特に有利には、１０２４個のピクセルをバックライティング（背面照光）する。正方形のライトタイルは、有利には、６４ｘ６４個のピクセルの領域を、特に有利には、３２ｘ３２個のピクセルの領域を照光する。
【００２３】
そのような個数のピクセルのバックライティング（背面照光）用のライトタイルは、有利には、ライトタイル内のコントラスト差が一般的に僅かである程小さい。しかも、隣接するライトタイルによってバックライティング（背面照光）される領域の輝度は、ほんの僅かしか異なっておらず、その結果、光源装置の作動時に、同様の光度の隣接する光源を作動することができる。それにより、有利には、バックライティング（背面照光）されるディスプレイ装置の強くバックライティング（背面照光）される領域と弱くバックライティング（背面照光）される領域との間の、ほぼ均等に細かく段階付けされた移行を達成することができる。再現すべき情報が、画像シーケンスである場合、ライトタイルによってバックライティング（背面照光）される、ディスプレイ装置の領域の輝度は、画像シーケンスの順次連続する画像毎にほんの僅かしか変化しない。ライトタイルの光度が急に変化するのは、できる限り回避される。しかし、有利には、ピクセルの個数に関して、バックライティング（背面照光）用の光源の個数は比較的僅かしか必要としない。
【００２４】
本発明の別の有利な実施例では、個別光源又は光源群の光度の適合は、制御装置が、個別光源又は光源群用の電流給電を制御することによって達成されるように構成されている。これは、有利には、時間的に変化する電流、例えば、アナログ電流又はデジタルのクロック制御された電流を光源に給電するようにして達成される。クロック制御された電流給電では、電流は、個別パルスで給電され、そのために、種々異なる変調形式が可能である。例えば、光源の光度は、有利には、パルス幅制御によって変えられ、つまり、同じクロック周波数で１つのパルスの期間を変えることによって、周波数制御によって、つまり、殊に、１つのパルスの同じ期間の場合に１つのクロックパルスの期間を変えることによって、又は、両方を組み合わせることによって光源の光度を変えることができる。例えば、観測者の時間手段で光源を作動する際に均等なパルス期間でクロック周波数を長くすると、時間手段での光源は僅かな電力しか使わないので、比較的小さな輝度の感度を得ることができる。
【００２５】
その際、クロック周波数は、どんな場合でも、人間の眼には、クロック周波数によって形成された個別光パルスが個別に解像されないように選択される。観測者の眼は、個別にはもはや解像し得ない比較的少ない個数の光パルスを、光源の低減した輝度として視認する。有利には、制御装置は、この効果を利用して、光度を、観測者に対して、パルス幅制御及び／又は周波数制御のように変調することによって変えることができる。パルス幅制御及び／又は周波数制御は、有利には、ｑビット（修飾子ビット）技術を用いて行われる。
【００２６】
本発明の別の有利な実施例では、個別光源乃至光源群の光度の適合は、作動電流の高さを変えることによって達成される。光源による電流振幅の変化により、光源の光度が変えられる。従って、相応に構成された制御装置は、個別光源乃至光源群の電流強度を変えて、それにより、光度を適合化することができる。
【００２７】
光源装置の有利な実施例では、各光源の光度を各行及び／又は列毎に適合するようにされている。この形式の実施例は、制御装置が全ての光源を個別に制御する必要はなく、各行毎及び／又は列毎に光源を制御できさえすればよい。それにより、この実施例では、所要の制御コストを簡素化することができる。
【００２８】
光源装置の別の有利な実施例では、各光源は、規則的な格子に相応して設けられており、その際、配列は、長方形、平行四辺形、六角形又は菱形の格子装置の群から選択される。例えば、長方形の格子配列によると、特に簡単な制御が可能となる。と言うのは、その際、各光源は、簡単に各行状及び／又は各列状に制御することができる。しかし、本発明の特別な実施例では、別の格子配列を選択すると目的に適っている。例えば、六角形の格子配列により、一般的に、個別光源の比較的密度の高いパッキングが可能となり、それにより、比較的大きな全照光強度が可能となる。
【００２９】
本発明の特に有利な実施例では、各光源の、放射方向の後ろ側に、ディフューザが設けられており、その際、光源から出力結合されたビームの大部分がディフューザに達するように設けられている。そのようなディフューザを用いると、光源によってバックライティング（背面照光）されるディスプレイ装置乃至情報再現装置の面を比較的均一な光分布にすることができる。
【００３０】
光源装置の別の有利な実施例では、各光源の、放射方向の後ろ側に、少なくとも１つの均質化要素（ホワイトボックス素子）が設けられており、その際、光源から出力結合されたビームの大部分が均質化要素に達するように設けられている。均質化要素は、殊に、ディスプレイ装置のバックライティング（背面照光）される領域（ピクセルフィールド）に対応して設けられている。ホワイトボックス素子は、有利には、光源から放射された光を均質化するレフレクタを有しており、その結果、有利には、ホワイトボックス素子によって照光された面が、観測者に、全ての個所でほぼ同じ明るさで見え、及び／又は、ビーム成形のために使われる。  ホワイトボックス素子、光導波路、及び／又は、光導波路及びホワイトボックス素子の組み合わせにより、光源によってバックライティング（背面照光）されるディスプレイ装置の所定領域のバックライティング（背面照光）が改善される。有利には、均質化要素は、照光領域、殊に個別ライトタイル間にシャープな明暗移行部が生じないように設けられている。
【００３１】
光源装置の別の有利な実施例では、各光源は、少なくとも１つのＢＥＦ（Ｂｒｉｇｈｔｎｅｓｓ  Ｅｎｈａｎｃｅｍｅｎｔ  Ｆｉｌｍ）輝度上昇フィルムが対応して設けられている。そのようなＢＥＦ輝度上昇フィルムは、表示面に対して垂直方向の光ビームを強め、その際、ＢＥＦ輝度上昇フィルムは、表示面の面法線方向のビームをフォーカシングする。そのようなＢＥＦ輝度上昇フィルムの後ろ側の、放射方向に、各光源が設けられている場合、ディスプレイ装置の直ぐ前に座っている観測者は、ディスプレイ装置の放射を一層明るいと感知する。
【００３２】
光源装置の別の有利な実施例では、各光源乃至ライト群は、共通の坦体上に設けられている。可能な坦体は、基板のあらゆる成形体、殊に、高い熱伝導性を利用することができるメタルコア基板にするとよい。
【００３３】
各光源、殊に、ディスプレイ装置の種々異なる領域をバックライティング（背面照光）する個別光源又は有利には光源群を、制御装置によって、殊に同じ時間で、相互に種々異なる光度で作動すると目的に適っている。観測者に表示すべき情報が僅かな輝度を有している領域は、このようにして、僅かな光度でバックライティング（背面照光）され、観測者用に表示すべき情報が比較的大きな輝度を有している必要がある領域は、比較的高い光度でバックライティング（背面照光）される。有利には、このようにして、例えば、最も明るいピクセルの輝度と最も暗いピクセルの輝度との比が大きくなる。  本発明の特に有利な実施例では、制御装置が、光源、殊に、個別光源又は各光源の群の光度を制御する。制御装置は、当該制御装置のアルゴリズムに応じて、各光源の光度を適合化する。個別光源又は各光源群の光度の制御用の制御装置によって、コントラストを改善することができ、このようにして、例えば、最も明るいピクセルの輝度と最も暗いピクセルの輝度との比が大きくなる。制御のために、制御装置は、アルゴリズムを使用する。このアルゴリズムでは、後続の各入力量の少なくとも１つが処理される。そのために挙げられるのは、
−コントラスト値、即ち、例えば、１つの光源（ライトタイル）によってバックライティング（背面照光）される、再現すべき情報の各画点の正規化輝度、殊に、この各画点の各輝度の平均値、及び／又は、最大輝度と最小輝度、
−隣接各ライトタイルの各コントラスト値、殊に、各輝度の平均値、及び／又は、１つ、複数又は当該各ライトタイルの最大輝度と最小輝度、
−ディスプレイ装置によって再現すべき情報全体のコントラスト値、つまり、例えば、最も明るいピクセルの輝度、及び、最も暗いピクセルの輝度、及び／又は、ディスプレイ装置の周囲環境の輝度である。
【００３４】
再現すべき情報の画点の輝度乃至コントラスト値は、制御ユニットによって、有利には、ディスプレイ装置内に供給される、再現すべき情報を含む信号から求められる。
【００３５】
周囲環境の輝度は、例えば、センサによって、殊に、ＡＬセンサ（アンビエント・ライト・センサ：Ａｍｂｉｅｎｔ  Ｌｉｇｈｔ  Ｓｅｎｓｏｒ）によって測定される。ＡＬセンサ（アンビエント・ライト・センサ）は、輝度センサであり、当該輝度センサのスペクトル感度は、有利には、人間の眼の各々に適合化されている。
【００３６】
コントラスト値は、殊に２次元値である。つまり、有利には、制御装置は、マトリックスを形成し、殊に、行（ｘ方向）及び列（ｙ方向）に各光源が配列されている場合にマトリックスを形成している。マトリックスの各行及び各列の個数は、有利には、各光源の個数に相応しており、その結果、各光源には、マトリックスのセルが対応付けられている。マトリックスの各セル内には、目的に適うように、コントラスト値、例えば、個別光源に対応付けられた、再現すべき情報の各画点の求められた各輝度が記録されている。その際、例えば、隣接ライトタイルの光度を含めた、各ライトタイルの所望の光度は、簡単にマトリックス演算を用いて求めることができる。
【００３７】
殊に、画像シーケンス、例えば、フィルムの表示の場合、制御装置は、殊に有利には、画像シーケンスの１つの画像を表示する場合に、各光源の光度を、画像シーケンスの時間的に先行及び／又は後続する１つ又は複数の画像の各輝度値乃至各コントラスト値に依存して制御するように装置構成されている。輝度値乃至コントラスト値は、その際、例えば、ライトタイルに対応付けられた画点のコントラスト値、隣接する各光源によってバックライティング（背面照光）される各画点の各コントラスト値、及び／又は、全画点の各コントラスト値、つまり、例えば、最も明るいピクセルの輝度と最も暗いピクセルの輝度である。それにより、表示の領域内での比較的高速のコントラスト変化にも応動することができる。例えば、有利には、ライトタイル内での高速の輝度変化の際、各光源のちらつき（Ｆｌａｃｋｅｒｎ）が抑制される。画像シーケンスの表示のために、有利には、１つ又は複数の先行画像の各輝度値乃至各コントラスト値が用いられ、殊に、時間的にずらした表示の際には、特に有利には、前述の先行画像に後続する１つ又は複数の画像の各コントラスト値も評価して、制御のために利用される。
【００３８】
有利な実施例では、制御装置によって、付加的に特別なアルゴリズムが、制御用に使用される。例えば、別のアルゴリズムが、挿入されたスーパーインポーズを、画像シーケンス、殊に、フィルムの再現時に識別するために用いられる。例えば、暗い、殊に、黒色の背景の前に白い文字を挿入する際、１つの光源によってバックライティング（背面照光）される、ディスプレイ装置の領域内に高いコンストラスト差が生じる。そのように極端に高いコントラスト差により、画像シーケンスの画像情報全体のコントラスト再現の妨害とならないようにするために、制御装置によって、白い文字の、例えば、極端に高いコントラストが、緩和されたコントラストによって、例えば、灰色の文字のコントラストによって変えられる。
【００３９】
各コントラスト値は、ほぼ正規化された各輝度値を示すので、制御装置は、目的に適った実施例の場合、アルゴリズムの入力量として、コントラスト値の代わりに、相応の輝度値が処理されるように構成されている。個別画点の各輝度値は、再現すべき情報の通常のコーディングの際、表示装置に伝送するために容易に特定することができ、従って、制御装置は、特に簡単に処理することができる。
【００４０】
別の有利に実施例では、制御装置は、付加的にライトバルブを制御して、殊に、再現される情報のグラフィックな解像度に適合することができる。それにより、制御装置は、例えば、再現すべき情報の解像度をライトタイルのラスタに適合する。例えば、制御装置は、表示すべき情報の解像度を、表示の縁が正確にバックライト装置のライトタイルの縁と一致するように適合する。
【００４１】
付加的に、そのような制御により、個別バックライティング（背面照光）領域を最適に利用することができる。ここで、最適に利用するとは、この文脈では、最適化基準に応じて、ライトバルブのラスタによって再現される情報をバックライト装置のラスタに適合化されるということである。情報の最適化は、例えば、解像度の変化、及び／又は、ライトバルブのラスタ内での表示のシフトにより行われる。有利には、制御装置は、再現すべき情報を、元の設定された位置に対して相対的に、ディスプレイ装置上に、ｘ方向及び／又はｙ方向にシフトし、及び／又は、制御装置は、再現すべき情報の大きさを変え、例えば、その際、制御装置は、再現すべき情報を再スケーリングし、即ち、ディスプレイ装置上の表示が、再現すべき情報の元の設定された大きさに対して比較的大きく、又は、小さくする。
【００４２】
特に有利には、縦横比がディスプレイ装置の縦横比と一致しないワイドバンド映画用フィルム又は他の情報が、そのような制御により、ディスプレイ装置のスクリーンフォーマットに適合され、殊に、光源装置のライトタイルのラスタに適合される。例えば、ビデオ画像を、ｘ及び／又はｙ方向で、ライトタイルの適合されたラスタ内に入るように適合化することができる。制御装置は、その際、有利には、黒色のバー部分、殊に、上側及び下側の画像縁部で識別し、相応の領域内で場合によってはバックライトを完全にスイッチオフするのに適している。
【００４３】
有利な実施例では、制御装置は、ライトタイルによってバックライティング（背面照光）されるライトバルブの開度をライトタイルの光度に適合するように設けられている。例えば、制御装置は、比較的小さい光度でのライトバルブを、比較的高い光度での場合よりも強く開き、その結果、有利には、ライトバルブに対応して設けられた画点の輝度は、ライトバルブをバックライティング（背面照光）する光源の光度にほぼ依存しない。
【００４４】
本発明の別の有利な実施例では、制御装置は、ライトバルブを直接バックライティング（背面照光）する場合に、個別光源乃至ライト群の光度をアルゴリズム内で入力量として適合化する際に、隣接光源乃至ライト群の放射の重畳を考慮するように構成されている。この場合、直接バックライティング（背面照光）とは、各光源とバックライティング（背面照光）されるディスプレイ装置との間に光学要素を設けないこと、例えば、ホワイトボックス素子及び／又は光導波路を設けないということである。ディスプレイ装置のバックライトに光学素子を設けない場合、各光源に基づいて、相互に重畳し合う各光円錐が形成される。この重畳は、実施例では、制御装置によって、個別光源乃至ライト群の光度の適合を算出する際に考慮される。例えば、制御装置は、光源によってバックライティング（背面照光）されるディスプレイ装置の領域内の、高い輝度を有する必要があるピクセルが、隣接する光源によってもバックライティング（背面照光）される場合、有利には、小さな強度の１つの光源を作動する。
【００４５】
以下で図１〜５に関連して記載した実施例から、本発明のさらなる利点、有利な実施形態および発展形態を理解できる。
図面
図１は、本発明のディスプレイ装置の第１の実施例の機能形式の略図、
図２は、本発明のディスプレイ装置の第２の実施例の機能形式の略図、
図３は、本発明のディスプレイ装置の第３の実施例の機能形式の略図、
図４は、本発明のディスプレイ装置の第４の実施例の機能形式の略図、
図５は、ライトバルブを備えたディスプレイ装置の構造の略図である。
【００４６】
図示された全ての図は、略示であり、説明に使う。図面に図示されている各要素及び当該各要素の相互の縮尺比は、基本的に尺度通りではない。
【００４７】
図１は、本発明のディスプレイ装置の第１の実施例の機能形式の略図を示す。その際、ライトバルブ装置２と光源装置１を用いて、情報Ｉが表示乃至指示され、この情報Ｉは、観測者が受け取ることができる。有利な観測方向は、図１〜４で、各々矢印によって示されている。
【００４８】
この実施例では、再現すべき情報Ｉは、ディスプレイ装置内に記憶されている。
【００４９】
情報Ｉは、制御装置４及び制御ユニット５に転送される。制御ユニット５は、ライトバルブの制御に使われる。そのような制御ユニット５は、従来技術の、ライトバルブを備えたディスプレイ装置から公知である。図１の実施例では、ライトバルブ装置２用のバックライト（背景照光）として使われる光源装置１はね制御装置４を用いて、情報Ｉの再現用にも使われる。そのために、制御装置４は、光源装置１（この実施例では半導体光源である）の個別光源５５の輝度を制御する。
【００５０】
制御装置４は、再現すべき情報Ｉをディスプレイ装置に伝送する、表示すべき情報信号から、以下の各情報の１つ又は複数を取り出して、個別光源５５の光度を制御するための１つのアルゴリズム又は複数のアルゴリズム用の各入力量として、その情報を使用し：
−表示すべき面全体に亘ってのコントラスト情報−この実施例では、情報Ｉの最も明るい画点と最も暗い画点の正規化された輝度、
−個別光源又は各光源の群の各々がバックライティング（背面照光）される面の１つ又は複数の領域のコントラスト情報−この実施例では、この領域乃至これらの各領域内の情報Ｉの最も明るい画点と最も暗い画点の正規化された輝度、
−直ぐ隣接した各光源によって照光される各面乃至領域の相応のコントラスト情報、
−場合によっては、側方に先行及び／又は後続する画像の上述の各コントラスト情報の１つ又は複数のコントラスト情報、及び／又は、
−周囲環境の輝度を使用する。
【００５１】
殊に、各画像、例えば、ビデオフィルム又はテレビジョン信号のシーケンスの表示の際、先行する画像、又は、時間をずらして表示する場合には、後続する画像のコントラスト情報も、シーケンスの画像の表示のコントラストを改善するために使用される。制御装置４が、１つ又は複数のアルゴリズムによって、入力された各情報から取り出した各入力量を評価し、個別光源の輝度を目標値に相応して調整する。有利には、制御装置４は、利用可能な各情報を記憶していて、１つ又は複数のアルゴリズムにより処理して、相応の制御信号を送出する、図示していないマイクロエレクトロニック・コントローラを有している。
【００５２】
この特別な実施例では、制御装置４の少なくとも１つのセンサ３が、ディスプレイ装置の領域内の周囲環境の輝度についての付加的な情報を供給する。この付加的な情報は、同様に、１つ又は複数のアルゴリズムによって評価され、制御装置４は、個別光源の光度を相応に再調整する。例えば、制御装置４は、有利には、作動中、高い周囲環境輝度の場合、光源５５の光度を高める。特に有利には、周囲環境輝度を求めるために、１つ又は複数の輝度センサ（アンビエント・ライト・センサ）が用いられる。アンビエント・ライト・センサは、感度スペクトルを、有利には、人間の眼の感度、つまり、観測者の目に最適化するセンサである。
【００５３】
図１に示された実施例では、制御装置４は、作用矢印によって示された制御ユニット５を制御する。その際、制御装置４は、制御ユニット５からライトバルブ装置２に伝送される、再現すべき情報Ｉの解像度を制御する。解像度を、このように制御することは、特に有利である。と言うのは、ライトバルブ装置２のラスタは、この場合、光源装置１のラスタと一致しないからである。ライトバルブ装置２のラスタは、光源装置１のラスタよりも細い。従来技術のディスプレイ装置では、解像度は、制御ユニット５によってのみ設定されているが、制御装置４によって設定された、解像度の適合化を用いると、ライトバルブ装置２の各ライトバルブを光源装置１のラスタ上に最適且つ均等に分配させることができる。
【００５４】
最適に分配した解像度とは、この文脈では、例えば、表示のために利用される各ライトバルブによって形成される各面の覆う各部分が、光源装置１に投影する際に、個別光源によってバックライティング（背面照光）される領域が交差されず、各々各領域の各境界と一致することである。つまり、解像度は、それによって特定される再現面が、理想的な場合、バックライト装置のライトタイルから形成された面と合同であるように適合化される。つまり、有利には、各行毎のピクセルの全個数は、ライトタイルの各行毎のピクセルの個数の整数倍及び／又は、列毎のピクセルの全個数は、ライトタイルの列毎のピクセルの個数の整数倍である。
【００５５】
図２は、本発明のディスプレイ装置の別の有利な実施例を示す。再現すべき情報Ｉは、ディスプレイ装置内に記憶されている。この情報は、制御装置２４及び制御ユニット２５に転送され、その際、制御装置２４は、制御ユニット２５に作用するように設けられている。
しかし、本発明の実施例は、制御装置２４及び制御ユニット２５又はそれらの等価装置乃至ユニットが、別の実施例で、別個に構成されているという点に限定するものではなく、制御装置２４及び制御ユニット２５の両方を、統合したユニットとして共通に構成してもよい。制御ユニット２５は、ライトバルブ装置２２を制御し、制御装置２４は、光源装置２１を制御する。
【００５６】
観測者は、光源装置２１から放射された光を視認し、観測者に対して再現すべき情報Ｉは、ライトバルブ装置２２によって形成される。
【００５７】
この実施例では、制御装置２４は、図１に記載された各情報乃至各入力量の１つ又は複数を、光源装置２１の個別光源５５の輝度を制御するために利用する。図１とは異なり、輝度センサは設けられていない。
【００５８】
光源装置２１のラスタは、個別光源５５が、ライトバルブ装置の部分領域をバックライティング（背面照光）するようにして形成される。これらの各部分領域乃至ライトタイルは、包括して、各面のバックライト装置を構成する。各ライトタイルの個数は、ここでは、ライトバルブの個数よりも少ない。それにより、光源装置及びライトバルブ装置は、異なったラスタを有している。従って、有利には、制御ユニット２５の、制御装置２４による制御を用いて、解像度を変えるようにするとよい。情報の解像度を変えることは、それにより、ライトバルブ装置２２を用いて情報を表示するために、光源装置２１のライトタイル全体をバックライティング（背面照光）のために利用するようにすると、特に有利である。つまり、解像度は、上述のようにして形成される表示の縁部が、光源装置２１上に投影され、各個別ライトタイルの各縁に正確に一致するように適合化される。
【００５９】
図３は、本発明のディスプレイ装置の第３の実施例を示す。
【００６０】
この実施例では、再現すべき情報Ｉは、略示されたディスプレイ装置内に記憶されている。この情報は、制御装置３４及び制御ユニット３５に転送される。その際、制御ユニット３５は、情報を評価し、相応して、ライトバルブ装置３２のライトバルブを相応に制御する。制御装置３４は、再現すべき情報Ｉから、上述の各コントラスト情報のうちの１つ又は複数を受け取り、それを評価する。そのために、図１及び図２の実施例を用いて説明したような、１つ又は複数のアルゴリズムを制御装置３４が用いる。１つ又は複数のアルゴリズムによって評価されたコントラスト情報に依存して、制御装置３４は、ここでは半導体光源である光源装置３１の個別光源の輝度を制御する。
【００６１】
コントラスト情報は、一般的には、正規化された輝度情報であるので、本発明の別の有利な実施例では、入力情報として、上述のコントラスト情報の代わりに、相応の輝度情報が処理される。
【００６２】
制御装置３４の作用として、観測者は、光源装置３１の制御によって、ライトバルブ装置３２を用いて表示された情報の、コントラストが改善された表示を視認することができる。
【００６３】
図４は、再現すべき情報Ｉがシステム内に記憶されている、本発明のディスプレイ装置の第４の実施例を示す。
【００６４】
情報Ｉは、制御装置４４及び制御ユニット４５に転送される。しかし、本発明の実施例では、制御ユニット４５及び制御装置４４を別個に構成する必要はなく、殊に、制御装置４４及び制御ユニット４５を共通に１つの総体的な制御部に統合してもよい。制御ユニット４５は、ライトバルブ装置４２の制御に使われる。制御装置４４は、１つ又は複数のアルゴリズムを用いて、情報Ｉを含む各入力量を評価する。各入力量は、前述の実施例に記載したような、再現されるべき、記憶された情報の輝度及び／又はコントラスト情報にするとよい。付加的に、制御装置４４は、ディスプレイ装置が作動される空間の周囲環境の輝度を測定する少なくとも１つのセンサ４３の情報を入力量として受け取り、評価する。
【００６５】
前述のアルゴリズムの１つ又は複数を用いて評価が行われる。この評価の結果として、光源装置４１の各光源５５が制御される。その際、表示全体のコントラストを改善するために、有利には、個別光源の輝度が変えられる。択一的に、例えば、光源を個別の各行又は各列に配列した、光源群の輝度を変えることができる。制御装置は、例えば、各ライトタイルによって形成されたラスタの各行又は各列の、個別ライトタイルの光度乃至輝度、又は、各ライトタイル群の輝度を制御する。
【００６６】
従って、入力された各情報を所期のように評価することによって、制御装置４４は、観測者によって感知され得る、表示される情報のコントラストを改善することができる。
【００６７】
図５は、ライトバルブを備えたディスプレイ装置の構造の略図である。その際、図５ａはそのようなディスプレイ装置の構造の横断面略図を示し、図５ｂは、そのようなディスプレイ装置の平面略図を示す。
【００６８】
図５ａには、複数の光源５５、ここでは、半導体光源が、坦体５６上に設けられている。各光源５５は、有利には、ライト群であり、その結果、１つの光源５５は、特に有利には、共通の１つのケーシング内に設けられた複数の光放射半導体構成素子を有している。坦体５６は、ここでは、１つの基板、殊に、メタルコアの基板である。メタルコア基板により、当該メタルコア基板の高い熱伝導性により、光源５５を特に効率的に冷却することができるようになる。各光源５５は、当該光源の放射光を均質化要素、所謂ホワイトボックス素子５４内に入力結合する。ホワイトボックス素子の、光出口側での寸法は、この実施例では、ライトタイルの大きさを決める。このホワイトボックス素子は、ビーム成形のためにレフレクタを有する。レフレクタは、ここでは、ライトタイルの光出口側の全体が、光源の作動時にできる限り均等に照光されるように形成されている。
【００６９】
ホワイトボックス素子の光出口側の寸法と、ライトタイルの大きさとの間の関係は、図５ａ及び図５ｂを結ぶ破線によって示されている。光出口側の後ろ側には、光源、乃至、光源群には、ここでは、ディフューザ５３及び／又はＢＢＦ（Ｂｒｉｇｈｔｎｅｓｓ  Ｅｎｈａｎｃｅｍｅｎｔ  Ｆｉｌｍ：輝度上昇フィルム）フィルム５２である。ＢＢＦフィルム５２は、観測者の方向で、ビームをフォーカシングすることによって、ディスプレイ装置の放射特性を改善するのに使用され、例えば、３Ｍ社によって市販により入手することができる。このバックライトの後ろ側には、放射光に情報が変調された、ライトバルブ装置５１が設けられている。そのようなライトバルブ装置は、一般的に、多層に構成されており、目的に適うように、複数のフィルタ、例えば、偏光フィルタを有している。
【００７０】
図５ｂには、ディスプレイ装置の平面略構成図が示されている。ディスプレイ装置のバックライトは、個別ライトタイル５７ａ，５７ｂ，５７ｃから構成されている。ｘ方向、及び、ｙ方向には、個数ｖ乃至ｗ個のライトタイルが、ディスプレイ装置のビーム出口面のバックライティング（背面照光）用に設けられている。ライトタイルの個数ｖ，ｗは、目的に適うように、ディスプレイ装置の大きさに適合されている。ライトタイルの後ろ側に設けられたライトバルブ装置５１は、図５ｂでは、ライトタイル５７ａの内部にしか示されていないが、チェス盤模様によって略示されている。ライトバルブ装置５１のラスタは、この実施例では、ライトタイルのラスタよりも細い。  本発明の特別な実施例では、ディスプレイ装置は、例えば、３２"ＴＦＴテレビジョン受信機である。その際、１６：９の画像フォーマットでは、ライトバルブ装置は、１３６６ｘ７６８ピクセル以上のピクセル解像度を有している。このライトバルブのラスタは、各ライトタイルの配列によってバックライティング（背面照光）される。例えば、このライトタイル装置は、２２ｘ１２（ｖ  ｘ  ｗ）個のライトタイル、つまり、全部で２６４個のライトタイルを有している。このライトタイルは、有利には、光源として、製品名ＭｕｌｔｉＬＥＤ又はＡｄｖａｎｃｅｄ  Ｐｏｗｅｒ  ＴｏｐＬＥＤのＬＥＤ、乃至、それらから構成されたライト群を有している。従って、この実施例では、各ライトタイルは、ライトバルブ装置の約６４ｘ６４ピクセルの領域をバックライティング（背面照光）する。
【００７１】
択一的に、ディスプレイ装置は、４３ｘ２４（ｖ  ｘ  ｗ）、つまり、１０３２個のライトタイルによってバックライティング（背面照光）してもよく、その際、各ライトタイルは、例えば、Ｐｏｗｅｒ  ＴｏｐＬＥＤを有している。それにより、ライトバルブ装置の約３２ｘ３２ピクセルは、各々例えば、各々Ｐｏｗｅｒ  ＴｏｐＬＥＤを有するライトタイルによってバックライティング（背面照光）される。ＭｕｌｔｉＬＥＤ，  Ｐｏｗｅｒ  ＴｏｐＬＥＤ  及び  Ａｄｖａｎｃｅｄ  Ｐｏｗｅｒ  ＴｏｐＬＥＤは、オスラム（Ｏｓｒａｍ）社から販売されている半導体光源の名称である。
【００７２】
別の有利な実施例では、ディスプレイ装置は、４５インチＴＦＴスクリーンを有している。従って、１６：３の画像フォーマットでは、ライトバルブ装置は、１９２０ｘ１０８０ピクセルのピクセル解像度を有している。バックライティング（背面照光）のために、ここでは、例えば、３０ｘ１７（ｖ  ｘ  ｗ）個、つまり、５１０個のライトタイルが使われ、これらのライトタイルは、光源として有利には各々前述のＭｕｌｔｉＬＥＤ又はＡｄｖａｎｃｅｄ  Ｐｏｗｅｒ  ＴｏｐＬＥＤを有している。この特別な実施例では、各ライトタイルは、その際、各々約６４ｘ６４ピクセルを有するライトバルブ装置の領域をバックライティング（背面照光）する。
【００７３】
本願は、ドイツ連邦共和国特許出願第１０２００５０２０５６８．２号の優先権を主張するものであり、その開示内容は参照により本願に含まれる。
【００７４】
本発明は上述した実施例に限定されるものではない。すなわち本発明は、あらゆる新規の特徴ならびにそれらの特徴のあらゆる組み合わせを含むものであり、これには殊に特許請求の範囲に記載した特徴の組み合わせ各々が含まれ、このことはそのような組み合わせ自体が特許請求の範囲あるいは実施例に明示的には記載されていないにしてもあてはまる。
【図面の簡単な説明】
【００７５】
【図１】本発明のディスプレイ装置の第１の実施例の機能形式の略図
【図２】本発明のディスプレイ装置の第２の実施例の機能形式の略図
【図３】本発明のディスプレイ装置の第３の実施例の機能形式の略図
【図４】本発明のディスプレイ装置の第４の実施例の機能形式の略図
【図５】ライトバルブを備えたディスプレイ装置の構造の略図
【図１】
2008541141.tif 000003
【図２】
2008541141.tif 000004
【図３】
2008541141.tif 000005
【図４】
2008541141.tif 000006
【図５】
2008541141.tif 000007
【国際調査報告】
2008541141.tif 000008
2008541141.tif 000009
2008541141.tif 000010
2008541141.tif 000011